(57)【特許請求の範囲】
【請求項１】
複数の綴じ足をそれぞれ通過させる複数の通路を備えるとともに、長手方向に延びる形状を備えたベースと、このベース上に位置するとともに、前記各通路を同時に遮断して綴じ足を倒伏させる綴じ込み位置と、各通路を同時に開放して綴じ込みを解除する位置との間で変位可能に設けられた押さえ部材とを含む綴じ具において、
前記ベースは、長手方向両側に設けられた案内部と、これら案内部の内側位置で前記押さえ部材に相対変位可能に連結される一対の連結部材とを備え、
前記押さえ部材は、操作部と、この操作部に対して屈曲可能に連設されるとともに前記通路の遮断と開放とを行う一対の押さえ板と、当該押さえ板に設けられて前記案内部にそれぞれ移動可能に支持される取付部とを備え、
前記取付部を案内部に支持させた状態で連結部材を介してベースと押さえ部材とを連結することでこれらベースと押さえ部材とが組み合わせ可能とされ、
前記操作部をベースに対して離間接近する方向に操作力を付与したときに、前記押さえ板の外側端部が前記案内部に沿って移動して前記綴じ込みと、解除とを行うことを特徴とする綴じ具。
【請求項２】
前記一対の連結部材は、前記押さえ部材が変位するときに対称的に変位することを特徴とする請求項１記載の綴じ具。
【請求項３】
前記連結部材は、前記押さえ部材が前記綴じ込みを解除した位置にあるときに、前記ベースと押さえ部材との相対位置を保持して通路の開放状態を維持することを特徴とする請求項１又は２記載の綴じ具。
【請求項４】
前記連結部材の中間と前記ベースとの間に、当該連結部材の変位に追従して変位可能な補助部材が設けられ、当該補助部材は、前記押さえ部材が前記綴じ込みを解除したときに、前記ベースと押さえ部材との相対位置を補助的に保持することを特徴とする請求項１、２又は３記載の綴じ具。
【請求項５】
前記押さえ部材は、前記操作部が水平位置を保った状態で変位可能に設けられていることを特徴とする請求項１ないし４の何れかに記載の綴じ具。
【請求項６】
前記押さえ板の外側端部は、前記綴じ足に初期の倒伏力を付与する接触部位として作用するとともに、前記取付部よりも上位に位置することを特徴とする請求項１ないし５の何れかに記載の綴じ具。
【請求項７】
請求項１ないし６の何れかの綴じ具と、当該綴じ具が取り付けられる表紙体とからなるファイルであって、前記綴じ足は、その基部が表紙体に支持されていることを特徴とするファイル。
【発明の詳細な説明】
【技術分野】
【０００１】
本発明は、綴じ具及びファイルに係り、更に詳しくは、ベースの通路を通過するように綴じ足を位置させて当該綴じ足の倒伏と押さえ付けを行うことで用紙等の綴じ込みを行う一方、前記通路を開放することで綴じ込みを解除することのできる綴じ具及びファイルに関する。
【背景技術】
【０００２】
従来より、フラットファイルやレターファイル等に用いられる綴じ具としては、板状に延びる細長いベースと、このベースの長手方向二箇所に設けられた穴からなる綴じ足の通路と、ベース上面側に設けられて通路を開放する位置と遮断する位置との間で移動可能なスライダとを備えて構成されている。
しかしながら、このような綴じ具は、スライダをベースに沿って横方向にそれぞれ移動させなければならないため、操作の簡便性が得られず、また、スライダの操作方向とベースの着脱操作方向とが異なって、操作の迅速性に欠けることとなる。
【０００３】
そこで、例えば、特許文献１に開示されるように、複数の綴じ足をそれぞれ通過させる複数の通路を備えたベースと、当該ベースに沿って移動可能に設けられた複数の移動部材と、これら移動部材を同時に操作可能な操作部とを備え、当該操作部を所定操作することで、各移動部材が通路を開放する位置と遮断する位置との間で移動可能に設けられた綴じ具が提案されている。
【先行技術文献】
【特許文献】
【０００４】
【特許文献１】特開２００２−３０７８８４号公報
【発明の開示】
【発明が解決しようとする課題】
【０００５】
しかしながら、特許文献１に開示された綴じ具にあっては、各移動部材を同期移動させるための複雑な機構が必要となり、部品点数が増加する、という不都合がある。
また、操作部を操作して綴じ込みを解除する位置としたときに、操作部が山形に屈曲した形状となり、操作部をベース側に押圧操作する際に、その操作力をベースに対して直交する方向に付与し難くなる傾向がある。
しかも、綴じ足を倒伏させる際の初期の抵抗が強く、スムースな操作感も得られない、という不都合もある。
【０００６】
［発明の目的］
本発明は、このような不都合に着目して案出されたものであり、その目的は、部品点数を削減するとともに、押さえ部材が綴じ込みを解除する位置にあるときに、綴じ足の通路を常に開放した状態に保つことのできる綴じ具及びファイルを提供することにある。
【０００７】
また、本発明の他の目的は、押さえ部材に対する操作力を確実に付与することができる操作性に優れた綴じ具及びファイルを提供することにある。
【０００８】
更に、本発明の目的は、綴じ足を倒伏動作させる際の初期の抵抗力を軽減し、当該綴じ足をスムースに倒伏して綴じ込み位置に設定することのできる綴じ具及びファイルを提供することにある。
【課題を解決するための手段】
【０００９】
前記目的を達成するため、本発明は、複数の綴じ足をそれぞれ通過させる複数の通路を備えるとともに、長手方向に延びる形状を備えたベースと、このベース上に位置するとともに、前記各通路を同時に遮断して綴じ足を倒伏させる綴じ込み位置と、各通路を同時に開放して綴じ込みを解除する位置との間で変位可能に設けられた押さえ部材とを含む綴じ具において、
前記ベースは、長手方向両側に設けられた案内部と、これら案内部の内側位置で前記押さえ部材に相対変位可能に連結される一対の連結部材とを備え、
前記押さえ部材は、操作部と、この操作部に対して屈曲可能に連設されるとともに前記通路の遮断と開放とを行う一対の押さえ板と、当該押さえ板に設けられて前記案内部にそれぞれ移動可能に支持される取付部とを備え、
前記取付部を案内部に支持させた状態で連結部材を介してベースと押さえ部材とを連結することでこれらベースと押さえ部材とが組み合わせ可能とされ、
前記操作部をベースに対して離間接近する方向に操作力を付与したときに、前記押さえ板の外側端部が前記案内部に沿って移動して前記綴じ込みと解除とを行う、という構成を採っている。
【００１０】
本発明において、前記一対の連結部材は、前記押さえ部材が変位するときに対称的に変位するように設けられている。
【００１１】
また、前記連結部材は、前記押さえ部材が前記綴じ込みを解除した位置にあるときに、前記ベースと押さえ部材との相対位置を保持して通路の開放状態を維持する、という構成を採っている。
【００１２】
更に、前記連結部材の中間と前記ベースとの間に、当該連結部材の変位に追従して変位可能な補助部材が設けられ、当該補助部材は、前記押さえ部材が前記綴じ込みを解除したときに、前記ベースと押さえ部材との相対位置を補助的に保持する構成を採ることが好ましい。
【００１３】
更に、前記押さえ部材は、前記操作部が水平位置を保った状態で変位可能に設けられる、という構成を採るとよい。
【００１４】
また、前記押さえ板の外側端部は、前記綴じ足に初期の倒伏力を付与する接触部位として作用するとともに、前記取付部よりも上位に位置するように構成されている。
【００１５】
更に、本発明に係るファイルは、前述した綴じ具と、当該綴じ具が取り付けられる表紙体とからなり、前記綴じ足は、その基部が表紙体に支持される、という構成を採っている。
【発明の効果】
【００１６】
本発明によれば、ベースと押さえ部材とが連結部材を介して連結された状態で、ベースと押さえ部材とが組み合わされているため、綴じ足、ベース、押さえ部材で綴じ具を構成することができる。しかも、操作部に操作力を付与するだけで綴じ込みと、その解除の動作を各綴じ足に対して同時に行うことが可能となり、ピニオン等の付加的な部品を設ける必要性もない。
【００１７】
また、連結部材が対称的に変位する構成により、操作部に操作力を付与したときに、押さえ部材の両側に操作力を等しく及ばせることができる。
【００１８】
更に、前記ベースに対して連結部材が綴じ込みを解除した状態を維持するように設けられているため、用紙を綴じ込むときに、通路が開放した状態を常に保っていることによって綴じ込み操作を迅速に行うことができる。
【００１９】
また、補助部材を設けた構成によれば、押さえ部材が綴じ込みを解除した状態をより確実に保つことができる。
【００２０】
更に、押さえ部材の操作部が水平位置を保った状態で押さえ部材が変位可能であれば、操作力を付与する際に指先を痛めてしまうような不都合を回避することができる。
【００２１】
また、前記板状体の外側端部を取付部よりも上位とすることで、綴じ足を曲げるときの力が綴じ足の基部から離れた上方に加えられるように設定でき、綴じ足を折り曲げて倒伏させる動作の初期段階における抵抗を緩和することができる。従って、従来品に比べて小さい操作力で綴じ足を折り曲げて倒伏させることができる。
【図面の簡単な説明】
【００２２】
【図１】ファイルに綴じ具が装着された実施形態を示す要部断面図。
【図２】前記綴じ具による綴じ込みを解除している状態を示す断面図。
【図３】ベースの平面図。
【図４】図３の中央断面図。
【図５】図３のＡ−Ａ線中央拡大断面図。
【図６】ベースの一端側底面図。
【図７】図３のＢ−Ｂ線拡大断面図。
【図８】図３のＣ−Ｃ線拡大断面図。
【図９】押さえ部材の平面図。
【図１０】図９の中央断面図。
【図１１】綴じ足を倒伏させる初期状態を示す断面図。
【図１２】図１１の次の段階を示す断面図。
【発明を実施するための形態】
【００２３】
以下、本発明の実施例を図面を参照しながら説明する。
【００２４】
図１には、本実施形態に係る綴じ具がフラットファイルに適用されて用紙Ｐ等を綴じ込んだ状態の要部断面図が示され、図２には、綴じ込みを解除した状態の要部断面図が示されている。これらの図において、綴じ具１０は、ファイルの表紙体１２の内面側に位置する折り込み部分１１に基部が支持された左右一対の綴じ足１３と、これら綴じ足１３をそれぞれ通過させる左右一対の通路１４を備えたベース１５と、このベース１５上に位置するとともに、長手方向の長さを平面視で変化させることで前記綴じ足１３を倒伏させる綴じ込みと、当該綴じ込みの解除とを行う押さえ部材１６とを備えて構成されている。ここで、綴じ足１３、ベース１５及び押さえ部材１６は、樹脂材料によりそれぞれ一体成形品として形成されている。また、綴じ足１３は、帯状に設けられており、市販されているフラットファイルの綴じ足と実質的に同様のものが採用されている。
【００２５】
前記ベース１５は、図３及び図４に示されるように、長手方向に延びる形状を備えた板状体１９を含み、図３中左右二箇所における幅方向一端側を切り欠くことで前記通路１４が板状体１９の中心Ｃに対して対称位置に形成されている。これら通路１４が設けられた部分を含むベース１５の長手方向両側の幅方向両側には、図中左右方向に延びる切欠部からなる案内部２０（図６参照）がそれぞれ形成され、当該案内部２０に押さえ部材１６の長手方向両端側をそれぞれ支持できるようになっている。板状体１９において、各通路１４の隣接位置には、綴じ足１３を倒伏させたときの受け入れ領域となる溝２２が形成されており、当該溝２２の底面部分には、綴じ足２２の滑りを防止する複数の凸部２３が設けられている。
【００２６】
前記案内部２０が形成された位置よりも内側には、ベース１５に一体的に成形されて当該ベース１５と押さえ部材１６との間を連結する一対の連結部材２５が左右対称となる位置に設けられている。この連結部材２５は、図５ないし図８にも示されるように、板状体１９に連設された屈曲片部材２７により構成されている。この屈曲片部材２７は、その一端側が板状体１９の中央部近傍にヒンジ部２９を介して連設されており、他端側の幅方向両側には前記押さえ部材１６に連結するための凸部３０がそれぞれ設けられている。屈曲片部材２７は、板状体１９の面内に形成された穴３２内に配置されており、当該穴３２の内周側には、穴幅を部分的に狭めるように位置するリブ３４が幅方向相対位置に形成されている。屈曲片部材２７は、図３及び図５に示されるように、前記ヒンジ部２９から延びる幅方向一対の傾斜部３５と、これら傾斜部３５の先端内面側にそれぞれ連なって穴３２の左右方向に延びる中間部３６と、この中間部３６の先端から延長された先端部３７とからなり、当該先端部３７の各外面側に前記凸部３０が形成されている。
【００２７】
前記傾斜部３５の先端と、前記リブ３４との間には、補助部材４０が配置されている。この補助部材４０は、中間に屈曲片部材２７が位置できるように幅方向に一対設けられており、リブ３４の上端にヒンジ連結された基部片４２と、この基部片４２の先端と前記傾斜部３５との間に位置する連結片４３とを含む。この連結片４３の両端は、基部片４２と傾斜部３５に対して屈曲可能な状態で連設されている。
【００２８】
前記押さえ部材１６は、図９及び図１０に示されるように、平面視で長手方向に延びる形状を備えているとともに、全体的に、ベース１５の幅よりも大きい幅を備え、また、図１中上下方向に沿う操作力を付与したときに、平面視の長さが変化して綴じ足１３を倒伏させた綴じ込みと、その綴じ込みを解除するように設けられている。
【００２９】
前記押さえ部材１６は、長手方向中央部に位置する操作部５０と、ヒンジ部５１を介して当該操作部５０に屈曲可能に連設されるとともに、前記綴じ足１３を倒伏させたときに当該綴じ足１３の上面側に位置する一対の押さえ板５３とを備えて構成されている。操作部５０は幅方向両側に側壁５５を備え、これら側壁５５により操作部５０を幅方向両側から摘み易くなっている。また、押さえ板５３も、それらの幅方向両側に側壁５６を備えた形状となっており、当該押さえ板５３は、その外側端部５３Ａが綴じ足１３に初期の倒伏力を付与する接触部として作用するようになっている。
【００３０】
前記押さえ板５３の側壁５６の各外側領域は、図１０に示されるように、相対的に上下幅が大きく設けられており、その先端側は傾斜縁５６Ａを介して外側に突出し、その先端コーナー部の内面に、前記ベース１５の案内部２０内に位置して当該案内部２０に沿って移動可能な内向きの突起６０がそれぞれ形成され、これにより、突起６０の上端と、押さえ板５３の下面との間に寸法Ｌ分の離間幅が大きく確保できるようになっている。
【００３１】
前記押さえ板５３の面内略中央部の下面には、取付部としての軸受部６２が幅方向に沿って一対配置され、この軸受部６２に、前記屈曲片部材２７の先端部３７外面側に設けられた凸部３０がそれぞれ回転可能となる状態で嵌合するようになっている。
【００３２】
綴じ具１０を組み立てるときは、ベース１５の上面側に押さえ部材１６を位置させた状態で、当該押さえ部材１６の長手方向両側に設けられた各一対の突起６０をベース１５の案内部２０に位置させる。次いで、押さえ部材１６の操作部５０を摘んでベース１５との間に空間を形成しておき、連結部材２５の凸部３０を押さえ部材１６の軸受部６２に嵌合させる。これによって、ベース１５と押さえ部材１６との組み合わせを完了することができる。
【００３３】
次に、綴じ具１０の使用方法について、図１１及び図１２をも参照して説明する。
【００３４】
前記綴じ具１０を用いて用紙Ｐを綴じ込む場合には、押さえ部材１６の操作部５０がベース１５に対して離間した位置に保っておくことにより行われる（図２参照）。
すなわち、操作部５０の側壁５５を指先で摘んで、ベース１５の面に対して直交する上方に力を加えることで、両側に設けられた突起６０が案内部２０の内側にそれぞれ移動する。同時に、連結部材２５は、その先端側の凸部３０が押さえ部材１６側の軸受部６２に回転可能に支持されているため、ヒンジ部２９を介して凸部３０側が上方に回転して変位する。つまり、押さえ部材１６と連結部材２５は、パンタグラフに類似した状態で変位する。連結部材２５が変位を開始してから図２に示される位置（綴じ込み解除位置）に至る中間段階では、前記凸部３０は、軸受部６２に支持されていることとの関係で、連結部材２５が無負荷状態の初期形状を保有していると仮定したときの本来通過すべき位置よりも内側にシフトさせられるように屈曲する。このとき、連結部材２５に連なる補助部材４０は、無負荷状態で変形がないとした場合の初期形状に対し、基部片４２及び連結片４３間の屈曲角度を小さくする方向に一時的に折れ曲がりつつ上方に変位する。
【００３５】
操作部５０がベース１５に対して最大に離間したとき（図２の綴じ込み解除位置にあるとき）には、連結部材２５が前記屈曲の程度を弱めつつも依然として屈曲変形した状態となり、当該屈曲変形がないとした場合の凸部３０の本来の位置よりも内方にシフトさせられた位置をとり、元の位置に戻ろうとする反発力が押さえ板５３を斜め外側上方に付与するように作用する。このとき、補助部材４０は、初期形状に対して屈曲している形状を保ち、前記連結片４３と連結部材２５との連設部位に対し、斜め内側上方に力を付与し、連結部材２５を下方から支えて連結部材２５が押さえ部材１６の前記綴じ込み解除位置を保つ作用をバックアップする。これにより、突起６０が案内部２０で静止した位置を保って通路１４が常に開放した状態に保たれる。
【００３６】
このようにして通路１４が開放した状態、つまり、綴じ足１３の綴じ込みを解除した状態で、ファイル内面側の折り込み部分１１を受け面として用紙Ｐの綴じ穴に綴じ足１３を挿入した後、この綴じ足１３が通路１４内に位置するようにベース１５を横方向から位置させて、当該ベース１５を用紙Ｐ上に位置させる（図２参照）。
【００３７】
次いで、図１１に示されるように、操作部５０の上面に指先をあてがい、ベース１５に向かう操作力を付与する。すると、押さえ部材１６の位置を保持していた連結部材２５及び補助部材４０が回転変位し、押さえ部材１６は、両端側の突起６０が案内部２０に沿ってそれぞれ外側に移動し、平面視の長さを長くするように変位する。この際、押さえ板５３の外側端部５３Ａが綴じ足１３に当接して当該綴じ足１３を外側に倒伏させる方向に力を付与することとなる。本実施形態においては、突起６０に対して、前述した寸法Ｌ分上位に突起６０が位置するように設定されているため、綴じ足１３が折れ曲がろうとする部位が案内部２０の上面よりも高くなり、折り曲げ抵抗を緩和することができる。
【００３８】
綴じ足１３が折れ曲がりを開始した状態で更に操作部５０に下向きの力を付与し続けると（図１２参照）、前記外側端部５３Ａが綴じ足１３の上面を滑りながら当該綴じ足１３を更に倒伏させ、この一方で、連結部材２５及び補助部材４０がベース１５の穴３２に次第に入りこみ、操作部５０がベース１５の中央部上面に突き当たったときに、押さえ部材１６とベース１５とが図示しない公知のストッパを介して互いに係り合って綴じ込み位置が保たれる。
【００３９】
従って、このような実施例によれば、少ない部品点数で、しかも、ベース１５に対して押さえ部材１６を離間接近させる操作で当該押さえ部材１６の両側を同時に移動させて用紙Ｐの綴じ込みと、その解除を行うことが可能な綴じ具を提供することができる。
【００４０】
以上のように、本発明を実施するための最良の構成、方法等は、前記記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上説明した実施例に対し、形状、材質、数量、位置若しくは配置等に関して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【００４１】
例えば、前記実施形態では、補助部材４０を備えた構成を図示、説明したが、当該補助部材４０は必ずしも設けることを要しない。
【００４２】
また、前記実施形態では、フラットファイルの折り込み部１１に綴じ足１３の基部を支持させた構成を前提とする綴じ具１０としたが、本発明これに限定されるものではなく、綴じ幅となる背部が拡大可能に設けられたファイルの一方の表紙体内面側に固定する構成としてもよい。この場合、ベースは、表紙体の内面側に常時固定されるため、当該ベースを表紙体に固定するための鈎状部等をベースの裏面側に設ければ足りる。
【００４３】
また、綴じ足１３は２本に限らず、左右対称となる数で増加させてもよく、これに応じた数の通路をベースに設ければよい。
【符号の説明】
【００４４】
１０  綴じ具
１２  表紙体
１３  綴じ足
１４  通路
１５  ベース
１６  押さえ部材
２０  案内部
２５  連結部材
４０  補助部材
５０  操作部
５１  屈曲部
５３  押さえ板
５３Ａ  外側端部（接触部）
６０  突起（取付部）
【図１】
0005396619.tif 000002
【図２】
0005396619.tif 000003
【図３】
0005396619.tif 000004
【図４】
0005396619.tif 000005
【図５】
0005396619.tif 000006
【図６】
0005396619.tif 000007
【図７】
0005396619.tif 000008
【図８】
0005396619.tif 000009
【図９】
0005396619.tif 000010
【図１０】
0005396619.tif 000011
【図１１】
0005396619.tif 000012
【図１２】
0005396619.tif 000013